(57)【特許請求の範囲】
【請求項１】
エレベータに設けられる各種機器の中から、前記エレベータで発生するいたずらの種類に応じてあらかじめ選定された特定の機器からの出力結果に基づいて、前記エレベータでいたずらが発生したか否かを判定する制御部と、
前記制御部によって前記いたずらが発生したと判定された場合、前記エレベータのかごに設けられたスピーカを介してモスキート音を発生させるモスキート音発生部と、
を備え、
前記特定の機器は、前記かごに設けられるインターホン子機であり、
前記制御部は、
前記エレベータの運転状態が正常状態であり、かつ、前記かごにいる乗客が前記インターホン子機を操作することで発生するインターホン呼びを検出した場合、前記いたずらが発生したと判定し、前記インターホン子機とインターホン親機との接続処理を行い、
前記モスキート音発生部は、
前記制御部によって前記いたずらが発生したと判定された場合、前記インターホン子機と前記インターホン親機との接続が完了するまで、前記モスキート音を発生させ続け、前記接続が完了すれば、前記モスキート音を発生させることを停止する
エレベータ制御装置。
【請求項２】
請求項１に記載のエレベータ制御装置において、
前記特定の機器は、前記エレベータに設けられる秤装置、マルチビームドアセンサおよびかご内操作盤であり、
前記制御部は、
前記秤装置および前記マルチビームドアセンサの少なくとも１つによる検出結果に基づいて、前記かごにいる乗客の人数であるかご内の乗客人数を推定し、
前記かご内操作盤によって行われたかご呼び登録の登録数が推定した前記乗客人数よりも大きい場合、前記いたずらが発生したと判定する
エレベータ制御装置。
【請求項３】
請求項１または２に記載のエレベータ制御装置において、
前記特定の機器は、前記エレベータに設けられるセーフティドアエッジであり、
前記制御部は、
前記セーフティドアエッジが連続して動作する動作時間があらかじめ設定された時間閾値以上である場合、前記いたずらが発生したと判定する
エレベータ制御装置
【請求項４】
エレベータに設けられる各種機器の中から、前記エレベータで発生するいたずらの種類に応じてあらかじめ選定された特定の機器からの出力結果に基づいて、前記エレベータでいたずらが発生したか否かを判定する制御ステップと、
前記制御ステップで前記いたずらが発生したと判定された場合、前記エレベータのかごに設けられたスピーカを介してモスキート音を発生させるモスキート音発生ステップと、
を備え、
前記特定の機器は、前記かごに設けられるインターホン子機であり、
前記制御ステップでは、
前記エレベータの運転状態が正常状態であり、かつ、前記かごにいる乗客が前記インターホン子機を操作することで発生するインターホン呼びを検出した場合、前記いたずらが発生したと判定し、前記インターホン子機とインターホン親機との接続処理を行い、
前記モスキート音発生ステップでは、
前記制御ステップで前記いたずらが発生したと判定された場合、前記インターホン子機と前記インターホン親機との接続が完了するまで、前記モスキート音を発生させ続け、前記接続が完了すれば、前記モスキート音を発生させることを停止する
エレベータ制御方法。
【発明の詳細な説明】
【技術分野】
【０００１】
本発明は、エレベータでのいたずらが発生した場合にモスキート音を発生させるエレベータ制御装置およびエレベータ制御方法に関するものである。
【背景技術】
【０００２】
従来から、若者（子供）のみに聞こえるとされるモスキート音（例えば、周波数が１７ｋＨｚ程度の音）を発生させることで、若者が侵入禁止領域に留まることを防ぐ乗客コンベアがある（例えば、特許文献１参照）。
【先行技術文献】
【特許文献】
【０００３】
【特許文献１】特開２０１１−１８４１３７号公報
【発明の概要】
【発明が解決しようとする課題】
【０００４】
ここで、一般的に、子供が多く住む建物（例えば、マンション、団地等といった集合住宅）にエレベータが設置される場合、子供によるエレベータでのいたずらの発生が多くみられ、結果として、エレベータでのいたずらの発生回数が多いという問題がある。
【０００５】
本発明は、前記のような課題を解決するためになされたものであり、子供がいたずらを行おうとするのを抑止し、エレベータでのいたずらの発生回数を減少させることのできるエレベータ制御装置およびエレベータ制御方法を得ることを目的とする。
【課題を解決するための手段】
【０００６】
本発明におけるエレベータ制御装置は、エレベータに設けられる各種機器の中から、エレベータで発生するいたずらの種類に応じてあらかじめ選定された特定の機器からの出力結果に基づいて、エレベータでいたずらが発生したか否かを判定する制御部と、制御部によっていたずらが発生したと判定された場合、エレベータのかごに設けられたスピーカを介してモスキート音を発生させるモスキート音発生部と、を備え、特定の機器は、かごに設けられるインターホン子機であり、制御部は、エレベータの運転状態が正常状態であり、かつ、かごにいる乗客がインターホン子機を操作することで発生するインターホン呼びを検出した場合、いたずらが発生したと判定し、インターホン子機とインターホン親機との接続処理を行い、モスキート音発生部は、制御部によっていたずらが発生したと判定された場合、インターホン子機とインターホン親機との接続が完了するまで、モスキート音を発生させ続け、接続が完了すれば、モスキート音を発生させることを停止するものである。
【０００７】
本発明におけるエレベータ制御方法は、エレベータに設けられる各種機器の中から、エレベータで発生するいたずらの種類に応じてあらかじめ選定された特定の機器からの出力結果に基づいて、エレベータでいたずらが発生したか否かを判定する制御ステップと、制御ステップでいたずらが発生したと判定された場合、エレベータのかごに設けられたスピーカを介してモスキート音を発生させるモスキート音発生ステップと、を備え、特定の機器は、かごに設けられるインターホン子機であり、制御ステップでは、エレベータの運転状態が正常状態であり、かつ、かごにいる乗客がインターホン子機を操作することで発生するインターホン呼びを検出した場合、いたずらが発生したと判定し、インターホン子機とインターホン親機との接続処理を行い、モスキート音発生ステップでは、制御ステップでいたずらが発生したと判定された場合、インターホン子機とインターホン親機との接続が完了するまで、モスキート音を発生させ続け、接続が完了すれば、モスキート音を発生させることを停止するものである。
【発明の効果】
【０００８】
本発明によれば、エレベータでのいたずらが発生した場合にモスキート音を発生させることにより、子供がいたずらを行おうとするのを抑止し、エレベータでのいたずらの発生回数を減少させることのできるエレベータ制御装置およびエレベータ制御方法を得ることができる。
【図面の簡単な説明】
【０００９】
【図１】本発明の実施の形態１におけるエレベータ制御装置を含むエレベータ制御システムの構成を示すブロック図である。
【図２】本発明の実施の形態１におけるエレベータ制御装置の一連の動作例（１）を示すフローチャートである。
【図３】本発明の実施の形態１におけるエレベータ制御装置の一連の動作例（２）を示すフローチャートである。
【図４】本発明の実施の形態１におけるエレベータ制御装置の一連の動作例（３）を示すフローチャートである。
【発明を実施するための形態】
【００１０】
以下、本発明によるエレベータ制御装置およびエレベータ制御方法を、好適な実施の形態に従って図面を用いて説明する。
【００１１】
実施の形態１．
図１は、本発明の実施の形態１におけるエレベータ制御装置５０を含むエレベータ制御システムの構成を示すブロック図である。図１において、このエレベータ制御システムは、かご内操作盤１０と、マルチビームドアセンサ２０と、セーフティドアエッジ３０と、秤装置４０と、エレベータ制御装置５０とを備える。
【００１２】
かご内操作盤１０は、エレベータのかご内に設けられており、主としてインターホン子機としての機能と、かご呼び登録装置としての機能とを有する。具体的には、かご内操作盤１０は、インターホンボタン１１、スピーカ１２および行先階ボタン１３を有する。なお、ここでは、かご内操作盤１０がインターホン子機としての機能を有するように構成する場合を例示するが、かご内にインターホン子機を別途設けてもよい。
【００１３】
インターホンボタン１１は、かご内の乗客が外部の情報センター（図示せず）にいる係員と通話するためのボタンである。すなわち、かご内の乗客がインターホンボタン１１を押下することでインターホン呼びが発生し、外部の情報センターにあるインターホン親機への接続処理がエレベータ制御装置５０によって行われる。これにより、かご内操作盤１０とインターホン親機とが接続されるので、かご内の乗客は、外部の情報センターにいる係員と通話することができる。
【００１４】
スピーカ１２は、かご内操作盤１０とインターホン親機とが接続された場合に、外部の情報センターからの音声をかご内に発するとともに、後述するモスキート音発生部５２からのモスキート音をかご内に発する。
【００１５】
行先階ボタン１３は、かご内の乗客が所望の行先階を入力するためのボタンである。すなわち、かご内の乗客が所望の行先階に対応する行先階ボタン１３を押下することで、入力された所望の行先階へかごを走行させるためのかご呼び登録が行われる。これにより、かご内の乗客は、所望の行先階へ行くことができる。
【００１６】
マルチビームドアセンサ２０は、複数の発光素子と複数の受光素子とで構成されており、かごの出入口を通過する乗客を検出し、その検出結果をエレベータ制御装置５０に出力する。具体的には、乗客がかごの出入口に存在すれば、発光素子からのビームは、この乗客によって遮断され、受光素子で受光されない。したがって、マルチビームドアセンサ２０は、発光素子からのビームが受光素子で受光されない場合、かごの出入口を通過する乗客を検出することとなる。
【００１７】
なお、マルチビームドアセンサ２０の設置位置については、例えば、かごの出入口の側端部に設けるように構成すればよい。このように構成した場合、出入口の一方の側端部には複数の発光素子が固定され、出入口の他方の側端部には複数の受光素子が固定される。
【００１８】
セーフティドアエッジ３０は、かごの戸閉動作中に乗客が触れることで動作し、かごの戸を反転動作させる。また、セーフティドアエッジ３０は、稼働状態（動作しているか否か）をエレベータ制御装置５０に出力する。
【００１９】
秤装置４０は、かご内の負荷（すなわち、かごの積載荷重）を検出し、その検出結果をエレベータ制御装置５０に出力する。
【００２０】
エレベータ制御装置５０は、制御部５１およびモスキート音発生部５２を有する。制御部５１は、エレベータ全体の動作を制御するとともに、エレベータの運転状態を監視し、エレベータの運転状態が正常であるか異常であるかを確認する。
【００２１】
また、制御部５１は、いたずら判定処理として、エレベータに設けられる各種機器（ここでは、かご内操作盤１０、マルチビームドアセンサ２０、セーフティドアエッジ３０および秤装置４０を例示）の少なくとも１つからの出力結果に基づいて、エレベータでいたずらが発生したか否かを判定する。
【００２２】
モスキート音発生部５２は、制御部５１によってエレベータでいたずらが発生したと判定された場合、モスキート音再生処理を行うことで、かご内操作盤１０のスピーカ１２を介してモスキート音を発生させる。なお、ここでは、スピーカ１２を介してモスキート音を発生させる場合を例示するが、スピーカ１２以外の別のスピーカをかご内に新たに設けて、そのスピーカを介してモスキート音を発生させるようにしてもよい。
【００２３】
このようにエレベータでのいたずらが発生すれば、モスキート音発生部５２によってモスキート音が発生する。このように構成することで、子供は、一度エレベータでいたずらを行えば、不快なモスキート音を聞くので、次回にいたずらを行えば再度モスキート音を聞くこととなると認識する。したがって、次回にいたずらをしようとする気を失わせることができるので、子供がいたずらを行おうとするのを抑止し、エレベータでのいたずらの発生回数を減少させることができる。
【００２４】
次に、エレベータ制御装置５０の動作について、図２〜図４を参照しながら説明する。ここで、子供によるエレベータでのいたずらとしてはさまざまなものが考えられるが、ここでは、子供が以下で例示するいたずら（１）〜（３）のいずれかを行えば、エレベータでいたずらが発生したと判定され、モスキート音が発生する場合を例示する。
【００２５】
いたずら（１）：必要がないにも関わらずかご内操作盤１０のインターホンボタン１１を押下してインターホン親機と接続するいたずら
いたずら（２）：かご内操作盤１０の行先階ボタン１３を押下して呼び登録数を必要以上に多くするいたずら
いたずら（３）：セーフティドアエッジ３０を意図的に動作させるいたずら
【００２６】
はじめに、いたずら（１）が発生した場合のエレベータ制御装置５０の一連の動作例（１）について、図２を用いて説明する。図２は、本発明の実施の形態１におけるエレベータ制御装置の一連の動作例（１）を示すフローチャートである。
【００２７】
ステップＳ１０１において、制御部５１は、かご内の乗客がインターホンボタン１１を押下することで発生するインターホン呼びを検出したが否かを判定する。また、制御部５１は、インターホン呼びを検出した（すなわち、ＹＥＳ）と判定した場合には、ステップＳ１０２へと進む。一方、制御部５１は、インターホン呼びを検出していない（すなわち、ＮＯ）と判定した場合には、再びステップＳ１０１の処理を繰り返す。すなわち、制御部５１は、インターホン呼びを検出するまで、ステップＳ１０１の処理を繰り返すこととなる。
【００２８】
ステップＳ１０２において、制御部５１は、監視しているエレベータの運転状態が正常であるか否かを判定する。また、制御部５１は、エレベータの運転状態が正常である（すなわち、ＹＥＳ）と判定した場合には、ステップＳ１０３へと進む。一方、制御部５１は、エレベータの運転状態が異常である（すなわち、ＮＯ）と判定した場合には、ステップＳ１０７へと進む。
【００２９】
ステップＳ１０３において、モスキート音発生部５２は、モスキート音再生処理を行うことで、かご内操作盤１０のスピーカ１２を介して、モスキート音を発生させ、ステップＳ１０４へと進む。
【００３０】
ここで、通常、エレベータの運転状態が異常である場合にインターホン呼びが発生することが多いので、エレベータの運転状態が正常である場合にインターホン呼びが発生するときは、いたずらである可能性が高い。したがって、制御部５１は、インターホン呼びが発生したタイミングでエレベータの運転状態が正常であれば、いたずら（１）が発生したと判定し、モスキート音発生部５２に対してモスキート音を発生させるように指令する。
【００３１】
ステップＳ１０４において、制御部５１は、インターホン親機への接続処理を行い、ステップＳ１０５へと進む。
【００３２】
ステップＳ１０５において、制御部５１は、かご内操作盤１０とインターホン親機との接続が完了したか否かを判定する。また、制御部５１は、この接続が完了した（すなわち、ＹＥＳ）と判定した場合には、ステップＳ１０６へと進む。一方、制御部５１は、この接続が完了していないと判定した場合には、ステップＳ１０３へと戻り、ステップＳ１０３以降の処理を繰り返す。すなわち、モスキート音発生部５２は、かご内操作盤１０とインターホン親機との接続が完了するまで、スピーカ１２を介してモスキート音を発生させ続けることとなる。
【００３３】
ステップＳ１０６において、モスキート音発生部５２は、モスキート音停止処理を行うことでモスキート音を発生させることを停止し、一連の処理を終了する。なお、ここでは、かご内操作盤１０とインターホン親機との接続が完了すれば、モスキート音の発生を停止させるように設定する場合を例示したが、これに限定されず、モスキート音の発生を停止させるタイミングについてはどのように設定してもよい。
【００３４】
ステップＳ１０７において、制御部５１は、ステップＳ１０４と同様の処理を行い、ステップＳ１０８へと進む。また、ステップＳ１０８において、制御部５１は、ステップＳ１０５と同様の処理を行い、一連の処理を終了する。このように、エレベータの運転状態が異常である場合にインターホン呼びが発生した場合、いたずらでない可能性が高いので、モスキート音発生部５２は、モスキート音を発生させることはない。
【００３５】
続いて、いたずら（２）が発生した場合のエレベータ制御装置５０の一連の動作例（２）について図３を用いて説明する。図３は、本発明の実施の形態１におけるエレベータ制御装置の一連の動作例（２）を示すフローチャートである。
【００３６】
ステップＳ２０１において、制御部５１は、あらかじめ設定された一定期間内に、かご内操作盤１０によって行われたかご呼び登録の呼び登録数（すなわち、乗客によって押下された行先階ボタンの数）が、推定したかご内の乗客人数よりも大きいか否かを判定する。また、制御部５１は、呼び登録数が乗客人数よりも大きい（すなわち、ＹＥＳ）と判定した場合には、ステップＳ２０２へと進む。一方、制御部５１は、呼び登録数が乗客人数以下である（すなわち、ＮＯ）と判定した場合には、再びステップＳ２０１の処理を繰り返す。すなわち、制御部５１は、呼び登録数が乗客人数よりも大きくなるまで、ステップＳ２０１の処理を繰り返すこととなる。
【００３７】
ここで、制御部５１によるかご内の乗客人数の推定について、具体的には、あらかじめ設定された１人あたりの平均体重と、秤装置４０から入力されたかご負荷とに基づいて、かご内の乗客人数を計算して推定するように構成すればよい。なお、制御部５１は、マルチビームドアセンサ２０による検出結果に基づきかご内の乗客人数を推定するように構成してもよい。また、秤装置４０およびマルチビームドアセンサ２０のそれぞれによる検出結果を組み合わせてかご内の乗客人数を推定するように構成してもよい。
【００３８】
ステップＳ２０２において、モスキート音発生部５２は、モスキート音再生処理を行うことで、かご内操作盤１０のスピーカ１２を介して、モスキート音を発生させ、ステップＳ２０３へと進む。
【００３９】
ここで、通常、かご内の乗客人数に対して、呼び登録数が必要以上に多ければ、いたずらである可能性が高い。したがって、制御部５１は、かご内の乗客人数に対して呼び登録数が多い場合には、いたずら（２）が発生したと判定し、モスキート音発生部５２に対してモスキート音を発生させるように指令する。
【００４０】
ステップＳ２０３において、制御部５１は、かご呼び登録に従ってある階床でかごが停止し、かごの戸開が完了したか否かを判定する。また、制御部５１は、かごの戸開が完了した（すなわち、ＹＥＳ）と判定した場合には、ステップＳ２０４へと進む。一方、制御部５１は、かごの戸開が完了していない（すなわち、ＮＯ）と判定した場合には、ステップＳ２０２へと戻り、ステップＳ２０２以降の処理を繰り返す。すなわち、モスキート音発生部５２は、かご呼び登録に従ってある階床でかごが停止し、かごの戸開が完了するまで、スピーカ１２を介してモスキート音を発生させ続けることとなる。
【００４１】
ステップＳ２０４において、モスキート音発生部５２は、モスキート音停止処理を行うことでモスキート音を発生させることを停止し、一連の処理を終了する。なお、ここでは、かご呼び登録に従ってある階床でかごが停止し、かごの戸開が完了すれば、モスキート音の発生を停止させるように設定する場合を例示したが、これに限定されず、モスキート音の発生を停止させるタイミングについてはどのように設定してもよい。
【００４２】
続いて、いたずら（３）が発生した場合のエレベータ制御装置５０の一連の動作例（３）について図４を用いて説明する。図４は、本発明の実施の形態１におけるエレベータ制御装置の一連の動作例（３）を示すフローチャートである。
【００４３】
ステップＳ３０１において、制御部５１は、セーフティドアエッジ３０（ＳＤＥ）が連続して動作する動作時間があらかじめ設定された時間閾値以上であるか否かを判定する。また、制御部５１は、セーフティドアエッジ３０の動作時間が時間閾値以上である（すなわち、ＹＥＳ）と判定した場合には、ステップＳ３０２へと進む。一方、制御部５１は、セーフティドアエッジ３０の動作時間が時間閾値未満である（すなわち、ＮＯ）と判定した場合には、再びステップＳ３０１の処理を繰り返す。すなわち、制御部５１は、セーフティドアエッジ３０の動作時間が時間閾値以上となるまで、ステップＳ３０１の処理を繰り返すこととなる。
【００４４】
ステップＳ３０２において、モスキート音発生部５２は、モスキート音再生処理を行うことで、かご内操作盤１０のスピーカ１２を介して、モスキート音を発生させ、ステップＳ３０３へと進む。
【００４５】
ここで、通常、セーフティドアエッジ３０の動作時間が必要以上に長ければ、乗客が意図的に触れて動作させており、いたずらである可能性が高い。したがって、時間閾値を適宜設定することで、制御部５１は、セーフティドアエッジ３０の動作時間が必要以上に長い場合には、いたずら（３）が発生したと判定し、モスキート音発生部５２に対してモスキート音を発生させるように指令する。
【００４６】
ステップＳ３０３において、制御部５１は、セーフティドアエッジ３０の動作が停止したか否かを判定する。また、制御部５１は、セーフティドアエッジ３０の動作が停止した（すなわち、ＹＥＳ）と判定した場合には、ステップＳ３０４へと進む。一方、制御部５１は、セーフティドアエッジ３０の動作が停止していない（すなわち、ＮＯ）と判定した場合には、ステップＳ３０２へと戻り、ステップＳ３０２以降の処理を繰り返す。すなわち、モスキート音発生部５２は、セーフティドアエッジ３０の動作が停止するまで、スピーカ１２を介してモスキート音を発生させ続けることとなる。
【００４７】
ステップＳ３０４において、モスキート音発生部５２は、モスキート音停止処理を行うことでモスキート音を発生させることを停止し、一連の処理を終了する。なお、ここでは、セーフティドアエッジ３０の動作が停止すれば、モスキート音の発生を停止させるように設定する場合を例示したが、これに限定されず、モスキート音の発生を停止させるタイミングについてはどのように設定してもよい。
【００４８】
なお、本実施の形態１では、いたずら（１）〜（３）に対するエレベータ制御装置の動作例（１）〜（３）を組み合わせて構成してもよい。
【００４９】
また、本実施の形態１では、エレベータで発生するいたずらの種類として例示した３種類のいたずら（いたずら（１）〜（３））に対して本願発明を適用する場合を具体的に例示したが、これに限定されない。すなわち、エレベータに設けられる各種機器の中から、特定の機器をエレベータで発生するいたずらの種類に応じてあらかじめ選定しておき、選定された機器からの出力結果によっていたずらが発生したと判定するように制御部５１を構成すれば、あらゆるいたずらに対して本願発明が適用可能である。
【００５０】
以上、本実施の形態１によれば、エレベータに設けられる各種機器の中から、エレベータで発生するいたずらの種類に応じてあらかじめ選定された特定の機器からの出力結果に基づいて、エレベータでいたずらが発生したか否かを判定する制御部と、制御部によっていたずらが発生したと判定された場合、エレベータのかごに設けられたスピーカを介してモスキート音を発生させるモスキート音発生部と、を備える。
【００５１】
具体的には、制御部は、エレベータの運転状態が正常状態であり、かつ、かごにいる乗客がインターホン子機（特定の機器）を操作することで発生するインターホン呼びを検出した場合、いたずらが発生したと判定する。
【００５２】
また、制御部は、秤装置およびマルチビームドアセンサ（特定の機器）の少なくとも１つによる検出結果に基づいて、かごにいる乗客の人数であるかご内の乗客人数を推定し、かご内操作盤（特定の機器）によって行われたかご呼び登録の登録数が推定した乗客人数よりも大きい場合、いたずらが発生したと判定する。
【００５３】
さらに、制御部は、セーフティドアエッジ（特定の機器）が連続して動作する動作時間があらかじめ設定された時間閾値以上である場合、いたずらが発生したと判定する。
【００５４】
このように、エレベータでのいたずらが発生すれば、モスキート音が発生するように構成することで、子供は、一度エレベータでいたずらを行えば、不快なモスキート音を聞くので、次回にいたずらを行えば再度モスキート音を聞くこととなると認識する。したがって、次回にいたずらをしようとする気を失わせることができるので、子供がいたずらを行おうとするのを抑止し、エレベータでのいたずらの発生回数を減少させることができる。
【符号の説明】
【００５５】
１０  かご内操作盤、１１  インターホンボタン、１２  スピーカ、１３  行先階ボタン、２０  マルチビームドアセンサ、３０  セーフティドアエッジ、４０  秤装置、５０  エレベータ制御装置、５１  制御部、５２  モスキート音発生部。
【図１】
0006272159.tif 000002
【図２】
0006272159.tif 000003
【図３】
0006272159.tif 000004
【図４】
0006272159.tif 000005